(57)【要約】【課題】記録ヘッドと排出弁手段とを精度よく配置する。【解決手段】ヘッドホルダ９は、底壁部９ｃとその底壁部９ｃの周囲に立ち上がった側壁部９ｄとを有する。この側壁部９ｄの一部を構成するように、排出通路５１〜５４を内部に有する排出筐体４５ａ〜４５ｄがヘッドホルダ９に一体に設けられる。底壁部９ｃに記録ヘッド３０が固定される。ヘッドホルダ９に搭載されるインクタンク４０の上部に、インク貯留室の上部空間に連通する排出通路９５〜９８が設けられ、この排出通路９５〜９８の下流端が、筐体４５ａ〜４５ｄの上端開口に接続したする導入部材４２ａ〜４２ｄに接続具４４ａ〜４４ｄを介して接続される。【選択図】  図４
2008194919.tif 000002
【特許請求の範囲】
【請求項１】
記録ヘッドを保持する箱形状のヘッドホルダに、インク貯留室を有するインクタンクが搭載され、前記インク貯留室が前記記録ヘッドのインク流入口部と接続され、前記インク貯留室内のインクもしくはそのインクから分離したエアを排出する排出通路が開閉可能な弁体を介して外部に開口され、前記弁体が、前記ヘッドホルダ外に設けた操作部材により開閉操作されるインクジェット式記録装置において、
前記ヘッドホルダは、底壁部とその底壁部の周囲に立ち上がった側壁部とを有し、
前記記録ヘッドは前記底壁部に固定され、
前記インクタンクは、前記底壁部又はその底壁部に固定された前記記録ヘッドに固定され、
前記排出通路の少なくとも一部を内部に有する排出筐体は、前記側壁部の一部を構成するように前記ヘッドホルダに一体に設けられていることを特徴とするインクジェット式記録装置。
【請求項２】
前記排出筐体を構成する側壁部の一部は、前記開閉操作方向と平行に延びるとともに前記排出筐体はその上端が開口する構成とされ、  前記開口には、前記インク貯留室の上部に連通する導入部材が接続されるとともにその導入部材にて前記弁体が前記排出筐体の内部に保持されていることを特徴とする請求項１記載のインクジェット式記録装置。
【請求項３】
前記排出通路が前記インクタンクの上部から前記排出筐体にわたって形成され、
前記インクタンク側の排出通路の下流端部が、可撓性を有する接続部材を介して、前記導入部材に接続されていることを特徴とする請求項２に記載のインクジェット式記録装置。
【請求項４】
前記排出筐体は、前記側壁の一部を構成して筒状に形成され、その下端を下方に開口しており、
前記弁体は、前記排出筐体の内部に移動可能に収納され、前記排出筐体の下端開口を通して前記操作部材により開閉操作されることを特徴とする請求項１〜３のいずれかに記載のインクジェット式記録装置。
【請求項５】
前記ヘッドホルダは、記録媒体に沿って移動可能に設けられ、
前記弁体の下端部は、前記記録ヘッドの側方近傍に位置し、
前記記録ヘッドが前記記録媒体と対向する位置の外において、前記記録ヘッドと対向してその記録ヘッドのノズルから排出したインクを受ける回復機構部と、前記操作部材とが隣接して配置されていることを特徴とする請求項１〜４のいずれかに記載のインクジェット式記録装置。
【請求項６】
前記インクタンクには、複数の前記インク貯留室が設けられ、前記各インク貯留室には、インクを種類別に収容するインク供給源から、各インクを種類別にインク供給チューブを介して供給され、
前記各インク貯留室から前記記録ヘッドにインクを供給し、前記複数のインク貯留室及び前記記録ヘッドを記録媒体に対して走査しながらインクを吐出する構成とされ、
前記排出通路は、前記各インク貯留室ごとに設けられていることを特徴とする請求項１〜５のいずれかに記載のインクジェット式記録装置。
【発明の詳細な説明】
【技術分野】
【０００１】
本発明は、インクジェット式記録装置に関するものである。
【背景技術】
【０００２】
インクジェット式記録装置において、記録ヘッドを保持する箱形状のヘッドホルダに、インク貯留室を有するインクタンクが搭載されものは知られている（例えば、特許文献１参照）。そのインク貯留室は記録ヘッドのインク流入口部と接続されている。インク貯留室内のインクから分離したエアを外部に排出する排出通路は開閉可能な弁体を介して外部に開口されている。
【０００３】
そのようなインクジェット式記録装置においては、通常、記録ヘッドが記録媒体と対向しない待機位置において、記録ヘッドのノズルからインクを吸引等する回復機構部と、上記弁体を開閉操作する操作部材とが隣接して配置されている。そして、記録ヘッドが回復機構部と対向した状態で、操作部材により弁体の開閉も行われる。よって、記録ヘッドと弁体とは精度よく配置されている必要がある。
【特許文献１】特開２００５−２７１５５２号公報（図３）
【発明の開示】
【発明が解決しようとする課題】
【０００４】
特許文献１記載のものでは、排出通路、弁体を内部に備える排出筐体はインクタンクと一体に設けられ、それらが、記録ヘッドを保持するヘッドホルダに取り付けられるようになっている。そのため排出筐体は、インクタンクが取り付けられるヘッドホルダや記録ヘッドなどの複数の部品を介して取付位置が決定されることになるので、部品公差のバラツキが重畳され、記録ヘッドに対し精度よく配置することが困難である。
【０００５】
本発明は、排出筐体をヘッドホルダに一体に設けることにより、記録ヘッドと排出筐体とを精度よく配置できるインクジェット式記録装置を提供することを目的とする。
【課題を解決するための手段】
【０００６】
請求項１の発明は、記録ヘッドを保持する箱形状のヘッドホルダに、インク貯留室を有するインクタンクが搭載され、前記インク貯留室が、そのインク貯留室からインクを導き出すインク導出路を介して前記記録ヘッドのインク流入口部と接続され、前記インク貯留室内のインクもしくはそのインクから分離したエアを排出する排出通路が開閉可能な弁体を介して外部に開口され、前記弁体が、前記ヘッドホルダ外に設けた操作部材により開閉操作されるインクジェット式記録装置において、前記ヘッドホルダは、底壁部とその底壁部の周囲に立ち上がった側壁部とを有し、前記記録ヘッドは前記底壁部に固定され、前記インクタンクは、前記底壁部又はその底壁部に固定された前記記録ヘッドに固定され、前記排出通路の少なくとも一部を内部に有する排出筐体は、前記側壁部の一部を構成するように前記ヘッドホルダに一体に設けられていることを特徴とする。
【０００７】
このようにすれば、排出通路の少なくとも一部を内部に有する排出筐体は、ヘッドホルダの側壁部の一部を構成するように前記ヘッドホルダに一体に設けられているので、記録ヘッドと排出筐体との位置関係が、前記ヘッドホルダへの前記記録ヘッドの固定精度に依存するだけとなり、簡単な構成でもって、前記記録ヘッドと排出筐体とが精度よく配置される。よって、操作部材と弁体との位置関係も精度よくすることができる。
【０００８】
請求項２に記載のように、請求項１のインクジェット式記録装置において、前記排出筐体を構成する側壁部の一部は、前記開閉操作方向と平行に延びるとともに前記排出筐体はその上端が開口する構成とされ、前記開口には、前記インク貯留室の上部に連通する導入部材が接続されるとともにその導入部材にて前記弁体が前記排出筐体の内部に保持されている構成とすることも可能である。
【０００９】
このようにすれば、インク貯留室の上部に連通する導入部材を通じて、インクもしくはそのインクから分離しインク貯留室に溜まっているエアを排出することができる。弁体を排出筐体内部に保持することができる。また、排出筐体を構成する側壁部の一部は、操作部材の開閉操作方向と平行に延びているので、弁体を開閉操作するための操作力が小さくてよくなる。
【００１０】
請求項３に記載のように、請求項２のインクジェット式記録装置において、前記排出通路が前記インクタンクの上部から前記排出筐体にわたって形成され、前記インクタンク側の排出通路の下流端部が、可撓性を有する接続部材を介して、前記導入部材に接続されている構成とすることができる。
【００１１】
このようにすれば、前記インクタンク側の排出通路の下流端部が、可撓性を有する接続部材を介して、前記導入部材に無理なく接続される。
【００１２】
請求項４に記載のように、請求項１〜３のいずれかのインクジェット式記録装置において、前記排出筐体は、前記側壁の一部を構成して筒状に形成され、その下端を下方に開口しており、前記弁体は、前記排出筐体の内部に移動可能に収納され、前記排出筐体の下端開口を通して前記操作部材により開閉操作される構成とすることができる。
【００１３】
このようにすれば、排出筐体が、ヘッドホルダの側壁の一部として筒状に形成されることで、前記記録ヘッドと排出筐体とが精度よく配置される。よって、弁体は、排出筐体の下端開口を通して前記操作部材により精度よく開閉操作される。
【００１４】
請求項５に記載のように、請求項１〜４のいずれかのインクジェット式記録装置において、前記ヘッドホルダは、記録媒体に沿って移動可能に設けられ、前記弁体の下端部は、前記記録ヘッドの側方近傍に位置し、前記記録ヘッドが前記記録媒体と対向する位置の外において、前記記録ヘッドと対向してその記録ヘッドのノズルから排出したインクを受ける回復機構部と、前記操作部材とが隣接して配置されている構成とすることができる。
【００１５】
このようにすれば、弁体の下端部が、前記記録ヘッドの側方近傍に位置するので、前記記録ヘッドと対向してその記録ヘッドのノズルから排出したインクを受ける回復機構部と、前記操作部材とを隣接して配置することができ、コンパクト化が図れる。
【００１６】
請求項６に記載のように、請求項１〜５のいずれかのインクジェット式記録装置において、前記インクタンクには、複数の前記インク貯留室が設けられ、前記各インク貯留室には、インクを種類別に収容するインク供給源から、各インクを種類別にインク供給チューブを介して供給され、前記各インク貯留室から前記記録ヘッドにインクを供給し、前記複数のインク貯留室及び前記記録ヘッドを記録媒体に対して走査しながらインクを吐出する構成とされ、前記排出通路は、前記各インク貯留室ごとに設けられている構成とすることができる。
【００１７】
このようにすれば、インクタンクからインク供給チューブを介してインク貯留室、記録ヘッドにインクが供給されるタイプのものにおいて、請求項１〜５の発明が実現される。
【発明の効果】
【００１８】
本発明は、上記のように、排出通路の少なくとも一部を内部に有する排出筐体を、前記側壁部の一部を構成するように前記ヘッドホルダに一体に設けているので、記録ヘッドと排出筐体とを精度よく配置することができ、弁体を操作部材により確実に操作することができる。
【発明を実施するための最良の形態】
【００１９】
以下、本発明の実施の形態を図面に沿って説明する。
【００２０】
図１は本発明に係るインクジェット式記録装置の主要構成を平面的に示す説明図である。
【００２１】
図１に示すように、インクジェット式記録装置１は、その内部において、２本のガイド軸６，７が前後に平行に設けられ、そのガイド軸６，７に、キャリッジを兼用するヘッドホルダ９が取付けられている。ヘッドホルダ９には、記録媒体（図示せず）に対し、インクを吐出して記録を行う記録ヘッド３０が保持されている。ヘッドホルダ９には、複数のインク貯留室９１〜９４を有するインクタンク４０が搭載され、各インク貯留室から記録ヘッドにインクが供給される。ヘッドホルダ９は、回転駆動される無端ベルト１１に連結され、このベルト１１の回転駆動により、ガイド軸６，７上を記録媒体に沿って移動可能に設けられ、記録ヘッド３０が記録媒体に対して走査しながら、記録ヘッド３０のノズル３５〜３８（図２参照）からインクを吐出する構成とされている。なお、前記各インク貯留室には、ヘッドホルダ９外に設けられインクを種類別に収容するインク供給源すなわち複数のインクカートリッジから、各インクを種類別に可撓性のインク供給チューブを介して供給される。
【００２２】
インクタンク４０は、後述するように上側タンク部４０Ａと下側タンク部４０Ｂとが接合されてなり、図５に示すように、両タンク部４０Ａ，４Ｂにまたがってイエローインク、マゼンタインク、シアンインク、ブラックインクのインク貯留室９１，９２，９３，９４が形成されている。各インク貯留室９１〜９４の上部空間は、インクに含まれていたエアが分離されて一時的に蓄積される蓄積部として機能するようになっている。各インク貯留室９１〜９４の上端は、上側タンク部４０Ａの上面に、各インク貯留室ごとに凹溝として形成された排出通路９５〜９８の上流端にそれぞれ接続されている。各排出通路９５〜９８の下流端は、その排出通路ごとに設けた排出弁手段４７の各筐体４５ａ，４５ｂ，４５ｃ，４５ｄ内の各排出通路５１〜５４の上端にそれぞれ接続されている。なお、各排出通路９５〜９８は、それらの開放上面を可撓性のフィルム８１（図５（ａ）参照）で覆うことで画定されている。
【００２３】
ヘッドホルダ９は、図４および図５に示すように、底壁部９ｃとその底壁部９ｃの周囲に立ち上がった側壁部９ｄとを有する箱形状に形成され、上面が開口されている。記録ヘッド３０は底壁部９ｃの下面に下方へ露出して固定されている。記録ヘッド３０は、下面に多数のノズル３５，３６，３７，３８の列を記録ヘッド３０の走査方向Ｘに並べて有するキャビティユニット３２を有し、その上側に、前記ノズル内のインクに選択的に吐出圧力を付与する圧電アクチュエータ３１を積層して有する。なお、圧電アクチュエータ３１の上面には、圧電アクチュエータ３１に駆動電圧を印加するフレキシブルフラットケーブル４１の基端部分が固定されている。
【００２４】
また、記録ヘッド３０は、その上面に四角枠状の補強フレーム３３を介在させて、ヘッドホルダ９の底壁部９ｃの下面との間に注入した接着剤（図示せず）により固定される。そして、インクタンク４０の各インク貯留室９１〜９４の下端は、補強フレーム３３に設けたインク通路孔３３ａ〜３３ｄを通じて、前記キャビティユニット３２の上面に開口した各インク流入口部に接続されている。インクタンク４０の各インク貯留室からノズル３５〜３８に列ごとにインクが供給される。なお、記録ヘッド３０と補強フレーム３３との間の下面側における段差を解消し記録ヘッド３０を保護するために、記録ヘッド３０の周囲に位置する保護カバー３４が、補強フレーム３３の下側に取り付けられている。
【００２５】
ヘッドホルダ９内の底壁部９ｃの上には、インクタンク４０が収容され、ヘッドホルダ９に固定されている。なお、インクタンク４０は、ヘッドホルダ９に代えて、ヘッドホルダ９に固定された記録ヘッド３０に固定することも可能である。
【００２６】
各排出弁手段４７は、排出通路５１〜５４を内部に有する筒状の排出筐体４５ａ〜４５ｄと、その内部に収納した弁体１０２とから構成されている。各筐体４５ａ〜４５ｄは、図４および図５に示すように、記録ヘッド３０の走査方向Ｘと直交する方向に並んで相互に連続した形状に形成され、それぞれヘッドホルダ９の側壁部９ｄに沿って上下方向に延びている。この側壁部９ｄは、後述する排出弁手段４７を開閉操作する操作部材としての突出軸部１２１の開閉操作方向と平行である。各筐体４５ａ〜４５ｄは、側壁部９ｄの一部を構成するようにヘッドホルダ９に一体に設けられている。この各筐体４５ａ〜４５ｄはその上端が開口し、下端部は、ヘッドホルダ９に保持される記録ヘッド３０の側方近傍に位置し開口している。このように、排出弁手段４７をヘッドホルダ９に側壁部９ｄの一部として一体に設けることにより、ヘッドホルダ９に保持される記録ヘッド３０と排出弁手段４７との位置関係を、ヘッドホルダ９への記録ヘッド３０の固定精度に依存するだけとなる。よって、記録ヘッド３０と排出弁手段４７（筐体４５ａ〜４５ｄ）とが精度よく配置される。
【００２７】
各筐体４５ａ〜４５ｄの上端開口には、導入部材４２ａ，４２ｂ，４２ｃ，４２ｄが接続されている。この各導入部材４２ａ〜４２ｄは、それぞれ排出通路５１〜５４に連通する貫通孔を上下方向に貫通して有し、支持部材４３に一体的に設けられている。支持部材４３は、各導入部材４２ａ〜４２ｄの長手方向のほぼ中間位置を支持する支持部４３ａと、この支持部４３ａの両端に連接され側壁部９ｄに掛け止め等により取り付けるための取付部４３ｂ，４３ｃとを備える。この支持部材４３が側壁部９ｄに取り付けられることで、各筐体４５ａ〜４５ｄ内の排出通路５１〜５４に、後述する弁体とコイルスプリングとを保持し、各導入部材４２ａ〜４２ｄの貫通孔を連通させるようになっている。  インクタンク４０側の排出通路９５〜９８の下流端部は、ほぼ水平に向いた筒状の接続部９５ａ〜９８ａとされる。この接続部９５ａ〜９８ａが、可撓性を有する接続具４４ａ，４４ｂ，４４ｃ，４４ｄを介して、導入部材４２ａ〜４２ｄの上端部に接続されている。各接続具４４ａ〜４４ｄは、下端が導入部材４２ａ〜４２ｄの上端に嵌挿される筒状の鉛直部４４ａａ〜４４ｄａと、この鉛直部４４ａａ〜４４ｄａの上端に一端が連通され他端が接続部９５ａ〜９８ａに接続される筒状の水平部４４ａｂ〜４４ｄｂとを有する。各接続具４４ａ〜４４ｄは一体化されて接続部材４４となっている。
【００２８】
よって、各筐体４５ａ〜４５ｄ内の排出通路５１〜５４は、導入部材４２ａ〜４２ｄ、接続部材４４の接続具４４ａ〜４４ｄ、インクタンク４０側の排出通路９５〜９８を通じて、インク貯留室の上部空間に連通するようになっている。
【００２９】
排出弁手段４７は、通常、各筐体４５ａ〜４５ｄ内の排出通路５１〜５４の外部への開放を遮断した状態にある。この排出弁手段４７を駆動制御して適宜開放動作させることにより、インク貯留室９１〜９４内のインクもしくはその上部空間に蓄積されるエアを、排出通路９５〜９８および各筐体４５ａ〜４５ｄ内の排出通路５１〜５４を通じて外部に排出することができる。
【００３０】
各排出弁手段４７の内部構成は、各排出通路５１〜５４のいずれも同様の構成であるので、以下、図５（ａ）（ｂ）を参照して、イエローインクについてのみ説明する。
【００３１】
筐体４５ｄ内の排出通路５４は、上下方向に長くかつ上下に開口するもので、上端が排出通路９８に連通する一方、下端が外部に排出孔５４ｃとして開口し、弁体１０２ｄが摺動可能である弁室として機能する。排出通路５４は、上側の大径孔部５４ａと、下側に位置する小径孔部５４ｂとを有している。また、小径孔部５４ｂの下側にそれに連通して、外部への開放部分として機能する排出孔５４ｃもそれらと同軸状に有している。
【００３２】
弁体１０２ｄは、大径の弁部１０２ｄａと、その下端に一体に連接した小径のバルブロッド１０２ｄｂと、弁部１０２ａに接触する位置でバルブロッド１０２ｄｂに嵌合されたリング状のシール材１０２ｄｃとを備える。排出通路５４の大径孔部５４ａには大径の弁部１０２ｄａが、小径孔部５４ｂにはバルブロッド１０２ｄｂが、それぞれインクもしくはエアの流通を可能にする隙間を残して挿入されている。バルブロッド１０２ｄａは、後述するように弁開放時に、メンテナンスユニット１２０に設けられた突出軸部１２１によって押し上げられるため、それの下端が（弁閉止状態で）排出孔５４ｃ近傍に位置するようになっている。
【００３３】
また、弁体１０２ｄは、導入部材４２ｄの下面部との間に設けたコイルスプリング１０３ｄによって、弁部１０２ｄａをシール材１０２ｄｃを介して大径部５２ａと小径部５２ｂとの間の段状の弁座面に当接する方向に付勢されている。後述する突出軸部１２１による押し上げ力が弁体１０２ｄに作用しない通常時は、排出弁手段４７は、排出通路５４の外部への連通を遮断した弁閉止状態となる。
【００３４】
記録ヘッド３０の回復処理、及びインクタンク４０内のインクもしくはエアの除去処理を行うメンテナンスユニット１２０について以下説明する。メンテナンスユニット１２０は、記録ヘッド３０のノズル３５〜３８の開口面を開閉可能に覆う第１のキャップ部材１２２（回復機構部）と、各排出筐体４５ａ〜４５ｄの下端面（すなわち排出孔５１ｃ〜５４ｃ）を開閉可能に覆う第２のキャップ部材１２３とを隣接して備える。このメンテナンスユニット１２０は、記録媒体と記録ヘッド３０が対向しない待機位置において、ヘッドホルダ９外のインクジェット式記録装置の本体に設けられている。
【００３５】
第１のキャップ部材１２２は、記録ヘッド３０と対向してその記録ヘッド３０のノズル３５〜３８から排出したインクを受けるものである。第２のキャップ部材１２３は、排出弁手段４７を開閉操作する操作部材としての突出軸部１２１を囲んで、各筐体４５ａ〜４５ｄの排出孔５１ｃ〜５４ｃから排出したインクもしくはエアの排出とともに排出したインクを受けるものである。
【００３６】
そして、前述したように排出筐体４５がヘッドホルダ９に側壁部９ｄの一部として一体に設けられ、ヘッドホルダ９に保持される記録ヘッド３０と排出弁手段４７とが精度よく配置されるので、第１および第２のキャップ部材１２１，１２２と、記録ヘッド３０および排出弁手段４７との位置関係を精度よくすることができる。また、第２のキャップ部材１２３内の突出軸部１２１と排出通路５４の小径孔部５４ｂとの位置関係も精度よくすることができる。
【００３７】
両キャップ部材１２２，１２３は、公知のメンテナンスユニットと同様の上下移動機構１２４により、上下移動可能に支持される。記録ヘッド３０が、記録媒体と対向しない待機位置に移動したときに、記録ヘッド３０のノズル開口面及び排出弁手段４７の各筐体４５ａ〜４５ｄの下端面に密着する上昇位置にキャップ部材１２２，１２３がそれぞれ移動し、他の位置ではそれらの面から離隔するように下降位置に移動する。また、第１のキャップ部材１２２と第２のキャップ部材１２３は、切替弁１２６により択一的に吸引ポンプ１２５に接続される。
【００３８】
第２のキャップ部材１２３は、そのキャップ部材１２３よりも突出した突出軸部１２１を各排出孔５１ｃ〜５４ｃと対向する位置にそれぞれ有する。第２のキャップ部材１２３が各筐体４５ａ〜４５ｄの下端面に密着したとき、突出軸部１２１は、弁体１０２ａ〜１０２ｄをコイルスプリング１０３ａ〜１０３ｄの付勢力に抗して押し上げ、弁部１０２ｄａをシール材１０２ｄｃとともに弁座面から離す弁開放状態にする。
【００３９】
記録が行われている通常時には、排出弁手段４７は、上記のように弁閉止状態にあり、各インク貯留部１２〜１５から記録ヘッド３０のノズル列にインク色毎にインクが供給され、各ノズル列から記録媒体に吐出される。一方、記録ヘッド３０が待機位置に移動したときには、第２のキャップ部材１２３が排出筐体４５の下端面に密着することで、バルブロッド１０２ｄｂが突出軸部１２１（操作部材）によって上方に押し上げられ、弁開放状態となる。この状態で、第２のキャップ部材１２３と吸引ポンプ１２５を切替弁１２６により接続し、吸引ポンプ１２５を駆動することにより、各インク貯留室９１〜９４の上部空間内に蓄積したエアもしくは増粘インクを一括して吸引し外部に排出する。その後、切替弁１２６を切り替えて第１キャップ部材１２２と吸引ポンプ１２５を接続し、吸引ポンプ１２５を駆動することにより、記録ヘッド３０のノズル３５〜３８内のインクを吸引して排出する。
【００４０】
前述した実施の形態のほか、本発明は、次にように構成することも可能である。
【００４１】
(i)前記実施の形態において、第２のキャップ部材１２３および吸引ポンプ１２５により各インク貯留室９１〜９４の上部空間に蓄積したエアを専ら排出するようにしたり（その場合インクも少量排出される）、あるいは、インク供給源からインクタンクへインクを供給するインク供給チューブやインクタンクの上部で増粘したインクを排出するようにすることも可能である、
(ii)図６に示すように、記録ヘッド３０’インクを供給するにインクタンク４０’の上部から、排出通路９５’がヘッドホルダ９’と一体に形成された筐体４５’の上部にわたって形成され、排出通路９５’の、各筐体４５’の上方部分に下方に突出する筒状の接続部９５ａ’をそれぞれインク毎に設け、この接続部９５ａ’をそれぞれゴムパッキン９９を介して各筐体４５’の上方開口に接続される構成とすることも可能である。インクタンク４０’をヘッドホルダ９’にねじ１００にてねじ止めすることで、ゴムパッキン９９が圧縮され、接続部分のシール性が確保される。
【００４２】
(iii)メンテナンスユニット１２０において、記録ヘッド３０のノズル３５〜３８からのインク吸引および排出筐体を通じてのインクやエアの排出を連続して行うようにしてもよいし、第１および第２のキャップ１２２，１２３を別々の上下移動機構により昇降させて、ノズル３５〜３８からのインク吸引のみ、または排出筐体を通じてのエアやインクの排出のみを、それぞれ単独に行うようにしてもよい。
【００４３】
(iv)吸引ポンプ１２５の吸引動作に代えて、インク供給源すなわちインクカートリッジ側から、インクに正圧を加えて、インク貯留室内を加圧し記録ヘッド３０のノズル３５〜３８から増粘したインクや異物を排出したり、排出筐体を通じてインクやエアを排出したりすることもできる。あるいは、吸引動作とインクヘの正圧印加を併用することもできる。
【図面の簡単な説明】
【００４４】
【図１】本発明に係るインクジェット式記録装置の主要構成を平面的に示す説明図である。
【図２】インクタンクが搭載されたヘッドホルダの底面図である。
【図３】同平面図である。
【図４】前記インクタンクとヘッドホルダとの関係を示す分解斜視図である。
【図５】（ａ）は図３のＡ−Ａ線における断面図、（ｂ）は図５（ａ）のＢ部の拡大図である。
【図６】変形例の説明図である。
【符号の説明】
【００４５】
１    インクジェット式記録装置
９    ヘッドホルダ
９ｃ    底壁部
９ｄ    側壁部
３０    記録ヘッド
４０    インクタンク
４２ａ〜４２ｄ    エア導入部材
４４    接続部材
４４ａ〜４４ｄ    接続具
４５ａ〜４５ｄ    筐体
４７    排出弁手段
５１〜５４    排出通路
５１ｃ〜５４ｃ    排出孔
９１〜９４    インク導出路
９５〜９８    排出通路
９５ａ〜９８ａ    接続部
１２０    メンテナンスユニット
１２１    突出軸部（操作部材）
１２２    第１のキャップ部材（回復機構部）
１２３    第２のキャップ部材
【図１】
2008194919.tif 000003
【図２】
2008194919.tif 000004
【図３】
2008194919.tif 000005
【図４】
2008194919.tif 000006
【図５】
2008194919.tif 000007
【図６】
2008194919.tif 000008